(57)【要約】【課題】  複数のフラットケーブルを保持する保持構造が簡素で、しかも、ケーブルを堅牢に保持するコネクタを提供する。【解決手段】  コネクタ９は、多数のコンタクト１０と、各コンタクトを保持するハウジング２０と、各コンタクト及びハウジングを被覆する第１シェル５０及び第２シェル５５と、２枚のフラットケーブル６０を保持するフード４０とを有する。第１シェルは、一対のクランプ部５１，５２を有する。フード４０は、筒状に形成される収容部４１と、収容部に連設されるケーブル引出し部４２とを有する。両ケーブルは２段に配設され、一対のクランプ部は２段のケーブルを挟持し、２段のケーブル間にスペーサ３０が配置される。一対のクランプ部とスペーサとが収容部内に挿入されることにより、２段のケーブルは一対のクランプ部とスペーサとケーブル引出し部とによって略Ｖ字形状に対向するように湾曲して保持される。【選択図】  図１
2008226584.tif 000002
【特許請求の範囲】
【請求項１】
複数のフラットケーブルと接続するコネクタにおいて、
前記コネクタは、コンタクトと、前記コンタクトを保持するハウジングと、前記コンタクト及び前記ハウジングを被覆するシェルと、前記各フラットケーブルを保持するフードとを有し、
前記シェルは、一対のクランプ部を有し、
前記フードは、筒状に形成される収容部と、前記収容部に連設されるケーブル引出し部とを有し、
前記各フラットケーブルは２段に配設され、前記一対のクランプ部は前記２段のフラットケーブルを挟持し、前記２段のフラットケーブル間にスペーサが配置され、
前記一対のクランプ部と前記スペーサとが前記収容部内に挿入されることにより、前記２段のフラットケーブルは前記一対のクランプ部と前記スペーサと前記ケーブル引出し部とによって略Ｖ字形状に対向するように湾曲して保持されることを特徴とするコネクタ。
【発明の詳細な説明】
【技術分野】
【０００１】
本発明は、コネクタに関し、詳しく述べると、複数のフラットケーブルと接続するコネクタに関する。
【背景技術】
【０００２】
従来の２枚のフラットケーブルと接続するコネクタについて図３〜図５を引用して説明する（例えば、特許文献１参照。）。
【０００３】
ケーブルコネクタ１は、図３に示されるように、上下２枚の同軸ケーブル２、各同軸ケーブル２をクランプする上下２枚のカバーインシュレータ３、並びに、各同軸ケーブル２の信号線及びドレイン線に接触する各ベースコンタクトを組み込まれたベースインシュレータ４を有し、ベースインシュレータ４と２枚のカバーインシュレータ３とは、４本のネジ５によって固定されている。
【０００４】
ケーブルコネクタの内部構造を図４に示す。上下２枚の同軸ケーブル２の間にスペーサ（板材、ゴム等）６を挿入し、上下２枚のカバーインシュレータ３の各凹部３ａにより挟持することによって、各同軸ケーブル２の各カバーインシュレータ３からの抜出を防止する。
【０００５】
図５に示されるように、各カバーインシュレータ３には、それぞれ金属製のサポートコンタクト７が組み込まれ、各同軸ケーブル２の信号線２ａとドレイン線２ｂは、各サポートコンタクト７に折り返し状に巻き付けられている。ただし、溶接又は半田等によって固定されるものではない。ベースインシュレータ４に組み込まれた各ベースコンタクト８の二又状のリード部８ａは、各信号線２ａ及び各ドレイン線２ｂ並びに各サポートコンタクト７を強い接触力によって各２点接触構造で挟み付けている。結線状況については、１枚の同軸ケーブル２に対して同一種類の他の１枚の同軸ケーブル２を上下反転の上、重畳するから、紙面の上下方向においても、紙面に直交する方向においても、各信号線２ａと各ドレイン線２ｂとが交互に配列されている。したがって、クロストークが発生し難い。
【０００６】
この種のコネクタは、他の刊行物にも記載されている（例えば、特許文献２参照。）。
【０００７】
【特許文献１】特開２０００−１５００３０号公報
【特許文献２】特許第３４８９０５３号公報
【発明の開示】
【発明が解決しようとする課題】
【０００８】
前記従来の２枚のフラットケーブルと接続するコネクタでは、２枚のカバーインシュレータをベースインシュレータに４本のネジによって保持するので、保持構造が複雑である。また、ケーブルとの保持力を向上することは、困難である。
【０００９】
そこで、本発明は、前記従来のコネクタの欠点を改良し、複数のフラットケーブルを保持する保持構造が簡素で、しかも、ケーブルを堅牢に保持することができるコネクタを提供しようとするものである。
【課題を解決するための手段】
【００１０】
本発明は、前記課題を解決するため、次の手段を採用する。
【００１１】
複数のフラットケーブル６０と接続するコネクタ９において、前記コネクタは、コンタクト１０と、前記コンタクトを保持するハウジング２０と、前記コンタクト及び前記ハウジングを被覆するシェル５０，５５と、前記各フラットケーブルを保持するフード４０とを有し、前記シェル５０は、一対のクランプ部５１，５２を有し、前記フードは、筒状に形成される収容部４１と、前記収容部に連設されるケーブル引出し部４２とを有し、前記各フラットケーブルは２段に配設され、前記一対のクランプ部は前記２段のフラットケーブルを挟持し、前記２段のフラットケーブル間にスペーサ３０が配置され、前記一対のクランプ部と前記スペーサとが前記収容部内に挿入されることにより、前記２段のフラットケーブルは前記一対のクランプ部と前記スペーサと前記ケーブル引出し部とによって略Ｖ字形状に対向するように湾曲して保持されるコネクタ。
【発明の効果】
【００１２】
明細書の説明から明らかなように、本発明は、次の効果を奏する。
【００１３】
１．２列のフラットケーブルは、一対のクランプ部とスペーサとケーブル引出し部とによってコネクタに堅牢に保持される。
【００１４】
２．２列のフラットケーブルをコネクタに保持する構造が、簡素である。
【００１５】
３．一対のクランプ部は、ＥＭＩ対策を行うシェルに設けられているので、構造が簡素である。
【００１６】
４．コネクタの組立工程が簡便であるので、作業性が向上する。
【発明を実施するための最良の形態】
【００１７】
本発明の一実施例の２枚のフラットケーブルと接続するコネクタについて説明する。
【実施例１】
【００１８】
本発明の実施例１のコネクタについて図１と図２を参照して説明する。
【００１９】
図１は、コネクタの拡大断面図である。図２は、コネクタの外観の斜視図である。ただし、フードの一部は、省略されている。
【００２０】
このコネクタ９は、２枚のフラットケーブル６０を相手側コネクタ（図示せず）と接続するコネクタである。コネクタ９は、相手側コネクタの多数のコンタクトと接触する上下２段の多数のコンタクト１０と、各コンタクト１０を保持するインシュレータ（ハウジング）２０と、２枚のフラットケーブル６０の間に配設されるスペーサ３０と、第１シェル５０と、第２シェル５５と、全体を被覆するフード４０とから構成される。各フラットケーブル６０は、各コンタクト１０と結線される。
【００２１】
各コンタクト１０は、平板状の基材表面に導体パターンを配設したものである。
【００２２】
多数のコンタクト１０は、上下２段に所定のピッチでインシュレータ２０に保持されている。スペーサ３０は、断面が略長方形の角柱部３１と、角柱部３１と連設される平板部３２とから構成され、インシュレータ２０に固定されている。角柱部３１の４隅には、面取り部３１ａ，３１ｂ，３１ｃ，３１ｄが形成されている。第１シェル５０には、間隔が狭いクランプ部５１，５２が形成されている。第２シェル５５には、突出部５６が形成され、突出部５６はインシュレータ２０にはまって固定される。
【００２３】
フード４０は、筒状に形成される収容部４１と、収容部４１に連設されるケーブル引出し部４２とを有する。ケーブル引出し部４２の上下両側には、面取り部４２ａ，４２ｂが形成されている。
【００２４】
フード４０の収容部４１内には、２枚のフラットケーブル６０の先端部６１及びその付近６２が収容される。２枚のフラットケーブル６０の先端部６１及びその付近６２の間には、スペーサ３０が配置される。
【００２５】
上側のフラットケーブル６０の先端部６１はスペーサ３０の平板部３２の上側と第１シェル５０のクランプ部５１とに挟持され、先端部６１の付近６２は角柱部３１の面取り部３１ａ，３１ｂとフード４０の上側内面４０ａ及びケーブル引出部４２の面取り部４２ａとに挟持される。したがって、先端部６１の付近６２は、上側へ突出する略Ｖ字形状に湾曲する。
【００２６】
下側のフラットケーブル６０の先端部６１はスペーサ３０の平板部３２の下側と第１シェル５０のクランプ部５２とに挟持され、先端部６１の付近６２は角柱部３１の面取り部３１ｃ，３１ｄとフード４０の下側内面４０ｂ及びケーブル引出部４２の面取り部４２ｂとに挟持される。したがって、先端部６１の付近６２は、下側へ突出する略Ｖ字形状に湾曲する。
【００２７】
２枚のフラットケーブル６０は、クランプ部５１，５２とスペーサ３０の存在によって、フード４０から抜出することを防止される。
【００２８】
また、このコネクタ９の各コンタクト１０と相手側コネクタの各コンタクトは、第１シェル５０と第２シェル５５によって電磁気シールドを行われる。
【００２９】
コネクタ９の組立は、次の工程によって行われる。
【００３０】
１．各コンタクト１０をインシュレータ２０に固定する。
【００３１】
２．予めフード４０に挿通されている２枚のフラットケーブル６０の間に、インシュレータ２０に固定されているスペーサ３０を挿入する。
【００３２】
３．２枚のフラットケーブル６０の芯線を、半田付け等によって各コンタクト１０に結線する。
【００３３】
４．２枚のフラットケーブル６０を挟持するように、第１シェル５０をインシュレータ２０に固定する。
【００３４】
５．第２シェル５５をインシュレータ２０に固定する。
【００３５】
６．この状態で、フード４０を第１シェル５０と第２シェル５５側に移動すると、フード４０は両シェル５０，５５に圧入固定され、組立は完了する。
【００３６】
実施例１においては、スペーサ３０は、平板部３２を有する。しかし、図１において、フード４０の収容部４１の上下方向の寸法を小さく構成すれば、平板部３２を省略することができる。また、第１シェル５０のクランプ部５１，５２の間隔を狭く構成すれば、平板部３２を省略することができる。これらの場合には、角柱部３１は、インシュレータ２０に固定されずに、２枚のフラットケーブル６０の間に挿入される。又は、角柱部３１の紙面の手前側及び向側をインシュレータ２０に固定する。
【００３７】
更に、本実施例１においては、フラットケーブル６０は、２枚であるが、フラットケーブル６０の幅方向（紙面に直交する方向）に、更に、２枚又は４枚等を配設することができる。
【図面の簡単な説明】
【００３８】
【図１】本発明の実施例１の２枚のフラットケーブルと接続するコネクタの拡大断面図である。
【図２】同コネクタの外観の斜視図である。ただし、フードの一部は、削除されている。
【図３】従来の２枚のフラットケーブルと接続するコネクタの外観の斜視図である。
【図４】同コネクタの拡大断面図である。
【図５】同コネクタのケーブル結線部の拡大断面図である。
【符号の説明】
【００３９】
９  コネクタ
１０  コンタクト
２０  インシュレータ（ハウジング）
３０  スペーサ
３１  角柱部
３１ａ，３１ｂ，３１ｃ，３１ｄ  面取り部
３２  平板部
４０  フード
４０ａ  上側内面
４０ｂ  下側内面
４１  収容部
４２  ケーブル引出し部
４２ａ，４２ｂ  面取り部
５０  第１シェル
５１，５２  クランプ部
５５  第２シェル
５６  突出部
６０  フラットケーブル
６１  先端部
６２  先端部の付近
【図１】
2008226584.tif 000003
【図２】
2008226584.tif 000004
【図３】
2008226584.tif 000005
【図４】
2008226584.tif 000006
【図５】
2008226584.tif 000007